(57)【要約】      （修正有）【課題】ケースに一体化し、コンパクトでワンタッチ操作が出来る携帯用印鑑を提供する。【解決手段】折り畳み開閉自在の蓋部２付き矩形状のケース部３で成る蓋部２の一面に、印鑑１を一体化構成し、印鑑１が整合収納可能な印鑑スペース４をケース部３に設け、且つ印鑑スペース４に隣接して並列する朱肉入りスペース５を具備する。【選択図】図１
0003154279.tif 000002
【実用新案登録請求の範囲】
【請求項１】
印鑑とケースとを一体化構成した、折り畳み式携帯用印鑑において、折り畳み開閉自在の蓋部付き矩形状のケース部を備え蓋部の一面に、印鑑を一体化構成し、印鑑が整合収納可能な印鑑スペースをケース部に設け、且つ印鑑スペースに隣接して朱肉入りスペースを具備したことを特徴とする、ケースに一体化した携帯印鑑。
【請求項２】
前記するケース部が印鑑スペースのみにするか、或いは該印鑑スペースに朱肉を所定の量だけ、つめ込んだ朱肉付き印鑑スペースの何れかでなり、ケース部が蓋部と折り畳み開閉自在に一体化され、蓋部に設けた印鑑が、印鑑スペースに整合収納可能にしたことを特徴とする、請求項１記載のケースに一体化したした携帯印鑑。
【請求項３】
前記する蓋部付き矩形状のケース部の蓋部とケース部の双方に接合ロック装置を具備してなることを特徴とする請求項１又は２項記載のケースに一体化した携帯印鑑。
【請求項４】
前記するケースの一部に吊り下げ具を具備してなることを特徴とする請求項１、２、又は３項記載のケースに一体化した携帯印鑑。
【考案の詳細な説明】
【技術分野】
【０００１】  この考案は、書類に捺印する、携帯に便利な印鑑に関し、詳しくは薄型でコンパクトな折り畳み式蓋部付きケースに、印鑑と朱肉を一体化したアクセサリー風の携帯用印鑑に関する・
【背景技術】
【０００２】  この種の従来の最も近い技術として、特開２００３−７２２１２で開示された、折畳式印鑑押し具の携帯印鑑が知られるが、これらの技術内容を図６及び図７で示すが、図６は全体を示す斜視図で、一枚の横長長方形のシート状のケースＡを、３分割での折り畳み自在で、それらの左面部２１、中央面部２０、右面部２２での、其の中央面部２０に短い印鑑１を固着し、其れに折り畳み自在に重ねる左面部２１には、印鑑１の貫通する丸孔２１０が開口し、更に其れに折り畳み自在に重ねる右面部２２に依って印鑑１を包み込む構成である。【０００３】  そしてこれらの３分割折り畳み自在でなるシート状のケースＡは、中央面部２０に固着した印鑑１を左面部２１其れに右面部２２の順に折り畳み重ね、左面部２１に開口する丸孔２１０に貫通して収納される印鑑１は、左面部２１に重ね合う右面部２２との双方をロック（閉成体）とアンロック（開成体）とを自在にする為、マジックテープＭが双方の接合面に夫々張り付けられて構成するが、夫々のマジックテープＭは印鑑１の貫通して収納可能な丸孔２１０、２２０とが開口し、シート状のケースＡが折り畳まれ時の厚さを極力薄くした構成で、ポケットやバッグに入れて取り扱い携帯便利に構成した印鑑１である。【０００４】  次ぎに図７（ａ），（ｂ）は従来技術のケース一体化携帯用印鑑を、利用者はロックされた左面部２１と右面部２２とのマジックテープＭでの接合状態をアンロックにし、書面に捺印する形態を示す使用例での斜視図で、図中（ａ）図は中央面部２０をフープ状にし印鑑１を露出し、左面部２１と右面部２２とを背中合わせにして指先で双方を合わせ摘み、個別に用意した朱肉を印鑑１印面に付け、書面に捺印する事が出来る。そして又図中（ｂ）図は中央面部２０をフープ状にし印鑑１を露出し、左面部２１と右面部２２とをそのまま相互をバッテン式にひとさし指に巻き付け固定し、印鑑１印面に付けた朱肉で書類に捺印する事が出来る他の使用例での斜視図で。この様に二つの使い方を選択して捺印の出来る、折畳式印鑑押し具が開示されている。
【考案の開示】
【考案が解決しようとする課題】
【０００５】  しかしながら上記する従来技術の場合は、ａ図で述べる様に、書類に捺印するのにフープ状にした印鑑を固定した柔らかいシートを、左面部と右面部との二枚を背中合わせで、指で摘んでフープ状に押し圧を掛け捺印するため、柔らかいフープ状が変形し、其れに一体化する印鑑がふらつき、捺印が不鮮明になったり、或いはｂ図で述べる様に、指に巻き込む形態での捺印は指先の下に隠れている為捺印位置が決まらなかったり、指先に巻かれた印鑑は指先方向に向かう事で捺印位置が捺印指定らんからはみ出したり、或い指に巻き込んだフープ状が緩むなどで、印鑑のぐら付きが出る等の課題がある。【０００６】  そして又これらの携帯に便利でコンパクトに構成するため、必需品である朱肉が個別に持参するか、或いは朱肉が捺印する現場に無いと、書類に捺印が出来ないなどの幾つかの課題が残る。
【課題を解決するための手段】
【０００７】    この考案は係る課題を解決する為に、請求項１での考案は、図１で述べる様に、印鑑１をケースＡに一体化構成でなる、折り畳み式携帯用印鑑において、折り畳み開閉自在の蓋部２付き矩形状のケース部３で成るこれらの蓋部２の一面に、印鑑１を一体化構成し、該蓋部２が閉成体ａ時に、印鑑１が整合収納可能な凹部の印鑑スペース４をケース部３に設け、且つ印鑑スペース４に隣接して並列する朱肉入りスペース５の夫々を具備した構成でのケースに一体化した携帯用印鑑とする。【０００８】  又前記するケース部３に設けた朱肉入りすスペース５を排除し、凹部の印鑑スペース４のみにするか、或いは該印鑑スペース４に朱肉６を所定の量だけ、つめ込んだ朱肉付き印鑑スペースの何れかで成るこれらのケース部３が、これに一体化構成する折り畳み開閉自在の蓋部２を閉成体ａ時に、蓋部２に設けた印鑑１が、印鑑スペース４に整合収納可能にした構成での、ケースに一体化した携帯用印鑑とする。【０００９】  次ぎに又前記する蓋部２付き矩形状のケース部３の双方が開閉時にロックとアンロック自在のマジックテープＭ（商呼）類の接合ロック装置を具備した構成での、ケースに一体化した携帯用印鑑とする。【００１０】  さらに又前記するケースＡの一部にストラップＳ等の吊り下げ具を具備してなる構成での、ケースに一体化した携帯用印鑑とする。
【考案の効果】
【００１１】  本考案は、上述の通り構成作用するので、次ぎの優れた効果を奏する。即ち請求項１での考案は、印鑑がケース部の開閉自在の蓋部に固定され、朱肉がケース部に設けて有るので、蓋部を開いて其のままの形態で、ケース部に設けた朱肉を付け、書類に何時でも何処でも捺印の出来る、コンパクトで使いやすい携帯に最適な、ケースに一体化した携帯用印鑑を提供出来る。【００１２】  そして又請求項２での考案は、印鑑体単体を薄い蓋部付きの小さなケース部に一体化した携帯用印鑑で、其の印鑑スペースに朱肉を詰め込んだタイプと、朱肉無でのタイプの同一構造で両用の選択可能にした、ケースに一体化した携帯用印鑑を提供出来る。【００１３】  次ぎに又請求項３と請求項４での考案で、上記する携帯用印鑑の蓋体が持ち運び携帯中にケース部から開きぱなしになることの無い様に、マジックテープでロックとアンロックの自在で、且つ携帯するのに紛失の無い様に見廻り品に吊り下げの出来るストラップをケース部等に付け、アクセサーリ風に使い、印鑑のイメージを無くした、ケースに一体化した携帯用印鑑を提供出来る。
【考案を実施するための最良の形態】
【００１４】  以下図示の実施例に基づいて本考案を更に詳細に説明する。即ち図１は本考案での第一実施例に基づく全体を示す斜視図で、折り畳み自在の蓋部２は矩形状のケース部３面を蓋するが、これらの厚めに設けたケース部３は細長く均等２分割に折り畳み可能でなる蓋部２の片方半分に固定されるが、双方の材質を特定するもので無いが、蓋部２は厚手の和紙や、合成皮でも良く、且つケース部３は合成樹脂製での成形加工やカラフルなスポンジ系或いは発泡スチロール系にし、双方を接着する等でも良く、他にケース部３をＰＰ樹脂にし、蓋部２も折り曲げ加工での、同一材質に依る一体化しての構成でも良い。【００１５】  こららの蓋部２とケース部３との閉成体ａで接合面となる蓋体２に厚みの短い印鑑１を接着剤等で固定するが、成形品加工の構成ではリブ付きの蓋部２にし、そのリブに印鑑１を差し込み固定する等でも良い。【００１６】  次ぎに上記するケース部３と蓋部２との閉成体ａ（クローズ）で双方の接合面となるケース部３面には、蓋部２に固定された短い印鑑１が凸起しているが、これらを収納するに必要な落とし込みをケース部３接合面に設ける事で、双方の接合面は完全に密着する構成で、これらのケース部３に開口する印鑑スペース孔４は、印鑑１の厚みの深さで良く、其の印鑑スペース孔４の底はケース部３の裏面に固着した折り畳み自在でなる蓋部２でも良く、或いは有底であれば何れの構成でも良く、更にこれらに隣接して並列する朱肉入りスペース５を設けるが、これらの丸い凹状底付きでの孔の大きさは、印鑑１の印面に朱肉を付けるに必要な印面よりやや大き目が良く、これらの朱肉入りスペース５には、開閉する蓋部２の接合面が朱肉で汚れない程度に朱肉がつめ込まれる。そして又これらの朱肉入りスペース５の開口部に着脱自在でなるキャップ５ａを実施例では装着されるが、其の限りで無く選択は自由である。【００１７】  次ぎに図２は本考案での第一実施例での使用例を示す全体斜視図で、この様に構成するケースＡに一体化した印鑑１は使用時に閉成体ａでなる蓋部２の両側面を２本の指（親指、中指）で摘み開成体ｂ（オープン）にし，蓋部２を湾曲に折り曲げ、蓋部２に固定している印鑑１を朱肉入りスペース５に向け、ひとさし指を押し当て、印鑑１の印面１ａに朱肉を付け、蓋部２を全開したケース部３は手のひらに握って、２本の指は両側面を摘んだままひとさし指で印鑑１の固定部を押し圧し書類に捺印する。（図５参照）【００１８】  次ぎに図３は本考案での第二実施例でのオープン状態での全体斜視図で、前記するケース部３に設けた朱肉入りスペース５を取り除き、印鑑スペース４のみでのコンパクトにケースＡに具備し、矩形状のケース部３に開閉自在の蓋部２に固定する印鑑１の印面１ａの朱肉付けは、蓋部２をオープンする前に、蓋部２の表面の印鑑１の固定部を指先で軽く押し、印鑑スペース４に所定の量を詰め込んだ朱肉６に印面１ａを押し当て、朱肉６を付け、其のまま２本の指で摘んで全開し印面１ａを書類ｃに捺印する（図５参照）が、これらの印鑑スペース４は、朱肉６をつめ込まない形態にする構成での選択を可能にしてる。【００１９】  次ぎに図４は本考案での第三実施例でのオープン状態での全体斜視図で、前記する蓋部２は折り畳み自在に矩形状のケース部３を閉成体ａに構成するが、携帯時に双方が常時蓋部２が開かない様にロックする手段とそて、双方の接合面にそれぞれマジックテープＭを張り付けてのロックとアンロックの構成で、マジックテープＭの双方の接合面の一部（実施例は双方の端部に接着）或いは双方の印鑑１と印鑑スペース４を除いた全面に張り付ける等の構成でも良い。【００２０】  次ぎに第四実施例では前記する、ケースに一体化した携帯用印鑑でのケースＡの一部である蓋部２の折り畳み曲げ部近辺に、ストラップＳを吊り下げる構成とするが、これらを示す実施例は、図１、図２、図３、図４の夫々に図示されている、これらの吊り下げ具はストラップＳに特定するもので無く、見廻り所持品に取り付け取り外しの出来る用具でも良く、例えばキーホルダーに吊るす為のクリップやリング等をケースＡに設ける等種々考えられる。（図示せず）
【図面の簡単な説明】
【００２１】
【図１】  本考案に係わる第一実施例での全体での斜視図である。
【図２】  本考案に係わる第一実施例で使用例での全体斜視図である。
【図３】  本考案に係わる第二実施例での全体斜視図である。
【図４】  本考案に係わる第三実施例での全体斜視図である。
【図５】  本考案に係わる実施例での使用例を示す斜視図である。
【図６】  従来技術での全体を示す斜視図である。
【図７】  図中（ａ）図は従来技術での捺印使用例での斜視図である。図中（ｂ）図は従来技術での他の捺印使用例での斜視図である。
【符号の説明】
【００２２】  Ａ      ケース
Ｍ      マジックテープ
Ｓ      ストラップ
ｃ      書類
ａ      閉成体
１      印鑑
２      蓋部
３      ケース部
４      印鑑スペース
５      朱肉入りスペース
【図１】
0003154279.tif 000003
【図２】
0003154279.tif 000004
【図３】
0003154279.tif 000005
【図４】
0003154279.tif 000006
【図５】
0003154279.tif 000007
【図６】
0003154279.tif 000008
【図７】
0003154279.tif 000009